(57)【要約】【課題】新聞を購読するとゴミが増える事もありためらう傾向もあるので新聞拡張にサービスさせたり、オプションとして契約する。単独のビジネスとしてフランチャイズ化も可能である。朝のゴミ収集時間の前に起きるのが苦痛に感じている人は多い。朝少しでも長く寝たいからゴミの日の為に早く起きたくない。しかたなく自分で出すしかない。結果ゴミを出し忘れる事もある。【解決手段】ゴミの日の前の夜にゴミを指定の場所に置いておけば朝のゴミ収集時間にゴミを出してくれるサービスがあれば解決する。健常者のニーズは民間が有料で実施する。新聞配達に付随してサービスする。障害者や高齢者へのサービスの実施は民間でも行政でもよい。社会福祉協議会やＮＰＯの場合も受益者負担として取る場合は、サービス業として実施できる。新聞配達と同時に行うと朝刊と時間が合い効率的である。新聞（朝刊）を配達しゴミを回収してゴミ集積場に出す。このサービスを新聞代理店が行えば顧客の固定化ができる。高齢者や病人の安否確認も出来る。街の美化もできる。【選択図】図１
2004199719.tif 000002
【特許請求の範囲】
【請求項１】
新聞拡張の時にサービスとして早朝のゴミ出し代行をする。
新聞購読料金で採算が取れなければオプションとしてサービス料を取る。
早朝のゴミ出し代行サービスを有料で単独で行う。
【発明の詳細な説明】
【技術分野】
【０００１】一般の家庭ゴミのゴミ出し代行サービスである。ＡＤＬ（日常生活動作）の低い身体の不自由な人や現代の都市生活は２４時間化して不夜城の中で不規則な生活を送る人が多くなった。そこで朝起きてゴミ出しの時間にゴミを出すのが辛い人や面倒な人が激増した。そこに大きな潜在需要がある。核家族や独身なら需要は大きい。
前夜にドアのノブにゴミを掛けてもらい朝に出しておく。ドアの前や門の指定の場所にゴミ袋を置いてもらい指定場所からゴミ収集車の指定場所へ指定時間にゴミ袋を移動するだけの作業でゴミ出しを代行するサービスが新しいビジネスモデルとして可能である。【０００２】新聞配達（朝刊）と同時に出来るサービスである。特別は設備も必要としない。
元気な身体と軍手があれば良い。後は新聞を汚さない為の注意とウエットティッシュと契約先に行くための地図ぐらいである。
【技術背景】
【０００３】産業廃棄物は扱わずゴミの収集事業でなく契約者のゴミを玄関前や庭先といった近所に迷惑をかけない場所を決めて前の日の夜に置いてもらう。翌日のゴミ収集車が来る時間までに収集場所へ指定通り動かす事でサービスが成り立つので特別な技術も技能も必要ない。朝早く収集車が来る前に確実に出せれば十分可能である。
ニーズさえあれば誰でもできる。もし事業化するとしたら契約を取るための宣伝費と営業経費ぐらいである。チラシ・契約書・専用ゴミ袋ぐらいでほとんど設備投資を伴わない。単独のサービスとして可能である。自治体がゴミ袋を指定している場合はそれに後からシルクスクリーンプリントなどをして使えばよい。
（シールは剥がして使われる欠点がある）
【０００４】トラブル防止の為に袋に指定場所以外に置かれたら知らせてもらい指定場所であればゴミが入っているので棄てた物と判断する注意書きを入れておく。
新聞購読の部数を増やしたり固定客へのサービスとして無料行う事もできる。
新聞購読をサービスの条件で無料とする場合は、新聞購読で利益を得ているのでボランティアでなく業として行ってほしい。新聞購読の過剰サービスになる場合は、単独のサービスとして有料で提供できる。ゴミ出し代行の時の間違いを防止するため専用のゴミ袋を契約者に指定場所にゴミの日の前日の夜を目安に置いてもらう。
カラス・イヌ・ネコが寄りつかない物を設置すると最良である。
カラス防止のトウガラシを塗ったゴミ袋が実用化されているので利用するなどで対応できる。
【発明の開示】
【発明が解決しようとする課題】
【０００５】高齢化で身体が不自由な老人が増えた。ホームヘルパーが朝のゴミ収集に合わせてまで派遣されない。人づきあいには出費がかかり地域の交流が出来ない「とじこもり」がちのお年寄りが増えて近所の人にゴミ出しを頼めない。
しかも気をつかう結果となる。新聞を購読するとゴミが増える事もありためらう傾向もあり、この発明で解決できる。【０００６】行政が安否確認を民間委託する為に乳酸飲料を自治体が一人暮らしの高齢者世帯に無料支給している。乳酸飲料の配達時間ではゴミ出しは、間に合わない。
飲料とゴミを同時に扱うのは衛生上の問題も伴う。
市報や区報は新聞折り込みで配布される。その為に新聞を取っていない高齢者世帯・重度障害者世帯へは郵送している。新聞を取ってもらえば送料分の経費は使わないですむ。安否確認は新聞配達とゴミ出し代行の両方で出来る。【０００７】サラリーマンも体調が悪く朝のゴミ収集時間の前に起きるのが苦痛である。
新聞の朝刊はベットの中で読みたい人が多い。
サラリーマンも朝少しでも長く寝たいからゴミの日の為に早く起きたくない。
出社前にゴミを出したら服が汚れた事がある。核家族で容易にゴミを出せる状態でない。朝つらいけど自分で出している。結果ゴミを出し忘れる事もある。
寝坊してゴミ回収車が行った後だったりする。重い喘息患者は夜発作で安眠できず朝発作が静まってウトウト寝たらゴミ出しは出来ない。ゴミ出しの為にも体調を万全にするほどの大変な作業である。
【課題を解決する為の手段】
【０００８】ゴミの日の前の夜にゴミを指定の場所に置いておけば朝のゴミ収集時間にゴミを出してくれるサービスがあれば解決する。健常者のニーズは民間が有料で実施する。新聞配達に付随してサービスする。障害者や高齢者へのサービスの実施は民間でも行政でもよい。社会福祉協議会やＮＰＯの場合も受益者負担として取る場合は、サービス業として実施できる。
【発明の効果】
【０００９】片づけられない人の特徴はゴミをコンビニ袋には入れている。ゴミ出しが出来ればゴミを溜める事が減りゴミ屋敷が現れない背景が作れる。民間でサービスとして単独でも行える。宣伝に営業や契約の手間を考えると新聞配達と同時に行うと効率的である。新聞（朝刊）を配達しゴミを回収してゴミ集積場に出す。
一石二鳥である。
広告入りの持ちやすい構造の専用ゴミ袋を使えば宣伝になる。
高齢者や病人の安否確認も出来る。街の美化もできる。
【発明を実施するための最良の形態】
【００１０】ゴミ出し代行サービスとしてフランチャイズ化する。新聞販売店と契約して実施する。個人起業家とフランチャイズ契約を結んでも良い。
契約者を会員制として会費でサービスを行うと集金が楽な振り込みが使える。
ゴミが出されているかで安否確認もできる。その為にも袋は毎月届ける。
料金未納ならサービス打ち切りにすれば、いらない新聞を取り続けるみたい事も防げる。このサービスを新聞代理店が行えば顧客の固定化ができる。【００１１】ホームヘルパー派遣の理念でゴミ出し代行サービスを自治体レベルや町内会レベルで希望者から料金を取ってサービスをする事も可能だ。
その場合は一人暮らしの障害者と身体の弱い高齢者には割引や減免すると良い。
このサービスの役務を含めた料金で指定の袋を販売する方法でも収益が見込める。
ゴミ袋に広告を入れてスポンサーから広告収入を得る事もできる。
【実施例１】
【００１２】現在は、世帯で日常生活のためにゴミ出しをしている。これをビジネスで専門に実施している例はない。福祉に限って神戸市で「ひまわり収集」をゴミ出しが困難な高齢者・障害者世帯のみ限定した無科実施のみである。
無料のサービスについては業としてやっているのでは無いから本発明のクレームから外す。本発明は専業ビジネスモデルと新聞拡張の兼業ビジネスモデルとして発明した。
現在は、自分でＡＤＬ（日常生活動作）がある人むけにビジネスしとして実施例はない。
【産業上の利用可能性】
【００１３】新聞の拡張のサービス条件として販売店は売り上げを伸ばせる。（部数拡大）
単独のビジネスとしてフランチャイズ展開も出来る。
設備投資が少ない（ローリスク・ハイリターン）ビジネスである。
営業活動や契約と集金以外は特別の技能や技術を必要としないので雇用対策にもなる。
【図面の簡単な説明】
【００１４】
【図１】早朝ゴミ出し代行サービス（新聞配達と同時に行った場合）
【図２】早朝ゴミ出し代行サービス（単独で行った場合）
【符号の説明】
【００１５】              １＝朝刊
２＝ゴミ（指定場所）
３＝ゴミ（集積所）
４＝ゴミを指定場所から集積所へ移動する。
５＝ゴミ集積所
【図１】
2004199719.tif 000003
【図２】
2004199719.tif 000004